(57)【特許請求の範囲】
【請求項１】
円筒部を有するシェルと、打面を構成するバターヘッドとを有するドラムであって、
前記バターヘッドの周縁部の外面に対して接触することなく略平行に近接対向する外面対向面を有する部分、及び／又は、前記バターヘッドの周縁部の内面に対して接触することなく略平行に近接対向する内面対向面を有する部分を、前記バターヘッドに対応する少なくとも１つの制振部として設けたことを特徴とするドラム。
【請求項２】
前記シェルの開口側の端部における折り曲げられた部分に、前記制振部のうち前記内面対向面を有する制振部が構成されることを特徴とする請求項１記載のドラム。
【請求項３】
前記制振部は、平面視において連続的または断続的な略環状に形成されることを特徴とする請求項１または２記載のドラム。
【請求項４】
レゾナンスヘッドを有し、
前記レゾナンスヘッドの周縁部の外面に対して接触することなく略平行に近接対向する外面対向面を有する部分、及び／又は、前記レゾナンスヘッドの周縁部の内面に対して接触することなく略平行に近接対向する内面対向面を有する部分を、前記レゾナンスヘッドに対応する少なくとも１つの制振部としてさらに設けたことを特徴とする請求項１〜３のいずれか１項に記載のドラム。
【請求項５】
前記シェルに設けられ、スネアワイヤを取り付けるための取り付け部を有し、
前記レゾナンスヘッドに対応する前記制振部は、前記レゾナンスヘッドの円周方向における、前記取り付け部にスネアワイヤが取り付けられた場合における当該スネアワイヤの配置位置を避けた領域に配設されることを特徴とする請求項４記載のドラム。
【発明の詳細な説明】
【技術分野】
【０００１】
本発明は、シェルとバターヘッドとを有するスネアドラム等のドラムに関する。
【背景技術】
【０００２】
アコースティックドラム、例えば、スネアドラムは、ヘッドの打撃による音が伸びすぎると他の打楽器の音と混ざって聞き取りにくくなる。そのため従来、音を聞き取りやすくするため、あるいは不要な成分の音を抑えるために、ヘッドに異物を設けて制振（ミュート）することが行われている。例えば、ヘッドにミュートリングを載せたり、ミュート用のテープやジェルを貼ったりすることがなされる。あるいは、シェルの内側からヘッドの裏面にフェルトを押し当てたり、シェルの外側からヘッドの表面にフェルトを押し当てたりすることがなされる。下記特許文献１のように、ミュート用のリング等を支持するために、ケーシングに支持部を設ける構成も知られている。
【先行技術文献】
【特許文献】
【０００３】
【特許文献１】米国特許第５６７５０９９号明細書
【特許文献２】米国特許第２０１０／００８３８１２号明細書
【発明の概要】
【発明が解決しようとする課題】
【０００４】
しかしながら、従来のミュート方式はヘッドに異物を接触させる方式であったため、ヘッドの振動が過度に抑制され、豊かな音色実現に必要な音までが抑制されてしまう。特にミュートにより豊かな倍音や明るさまでが犠牲になると共に、音の立ち上がりが鈍くなる傾向がある。立ち上がりの音色は打楽器として非常に重要であり、そのドラムの全体の打撃音色への影響が大きい。また、貼り付けにより異物を設ける方式では、異物の取り外しが容易でない場合もある。
【０００５】
なお、特許文献２においては、シェルの内面に板状の共振器を設けているが、この共振器はヘッドと共振するように設けられるものであり、振動を抑制するものではない。
【０００６】
本発明は上記従来技術の問題を解決するためになされたものであり、その目的は、打撃音の高周波成分を抑制し、音色を向上させることができるドラムを提供することにある。
【課題を解決するための手段】
【０００７】
上記目的を達成するために本発明の請求項１のドラムは、円筒部（９１ｃ）を有するシェル（９１）と、打面を構成するバターヘッド（１０１）とを有するドラムであって、前記バターヘッドの周縁部の外面（１０１ａ）に対して接触することなく略平行に近接対向する外面対向面（１１ａ）を有する部分（１１）、及び／又は、前記バターヘッドの周縁部の内面（１０１ｂ）に対して接触することなく略平行に近接対向する内面対向面（２１ａ、Ｓａ）を有する部分（２１）を、前記バターヘッドに対応する少なくとも１つの制振部（１１、２１、Ｓ）として設けたことを特徴とする。
【０００８】
好ましくは、前記シェルは金属で構成され、前記シェルの開口側の端部における折り曲げられた部分（９１ｂ、９１ｄ）に、前記制振部のうち前記内面対向面（Ｓａ）を有する制振部（Ｓ）が構成される（請求項２）。好ましくは、前記制振部は、平面視において連続的または断続的な略環状に形成される（請求項３）。
【０００９】
好ましくは、レゾナンスヘッド（１０２）を有し、前記レゾナンスヘッドの周縁部の外面（１０２ａ）に対して接触することなく略平行に近接対向する外面対向面（３１ａ）を有する部分（３１）、及び／又は、前記レゾナンスヘッドの周縁部の内面（１０２ｂ）に対して接触することなく略平行に近接対向する内面対向面（４１ａ）を有する部分（４１）を、前記レゾナンスヘッドに対応する少なくとも１つの制振部（３１、４１、Ｓ）としてさらに設ける（請求項４）。好ましくは、前記シェルに設けられ、スネアワイヤ（９７）を取り付けるための取り付け部（９４、９５）を有し、前記レゾナンスヘッドに対応する前記制振部（３１、４１）は、前記レゾナンスヘッドの円周方向における、前記取り付け部にスネアワイヤが取り付けられた場合における当該スネアワイヤの配置位置を避けた領域に配設される（請求項５）。
【００１０】
なお、上記括弧内の符号は例示である。
【発明の効果】
【００１１】
本発明の請求項１によれば、打撃音の高周波成分を抑制し、音色を向上させることができる。
【００１２】
請求項２によれば、部品点数を削減すると共に制振部の形成を容易にすることができる。請求項３によれば、高周波成分を効率よく抑制することができる。請求項４によれば、打撃音の高周波成分の抑制効果を高めることができる。請求項５によれば、レゾナンスヘッドの振動を抑制しつつスネアワイヤの音を確保することができる。
【図面の簡単な説明】
【００１３】
【図１】本発明の一実施の形態に係るドラムの斜視図（図（ａ））、スネアドラムの上部の部分縦断面図（図（ｂ））である。
【図２】スネアドラムの底面図（図（ａ））、スネアドラムの下部の部分縦断面図（図（ｂ））である。
【図３】ドラムの膜振動のモードを説明する模式図（図（ａ）〜（ｆ））である。
【図４】スネアドラムの振動の周波数ごとの時間的変化を示す図（図（ａ）、（ｂ））である。
【図５】スネアドラムの打撃時の音量レベルの時間的変化を示す図（図（ａ）〜（ｃ））である。
【図６】制振部の変形例を示す模式的平面図（図（ａ）〜（ｄ））である。
【図７】変形例の制振部を採用したスネアドラムの上部の部分縦断面図（図（ａ）、（ｂ））である。
【図８】変形例の制振部を採用したスネアドラムの上部の部分縦断面図（図（ａ））、図８（ａ）の構成例のスネアドラムにおけるシェルの斜視図（図（ｂ））である。
【発明を実施するための形態】
【００１４】
以下、本発明の実施の形態を図面を参照して説明する。
【００１５】
図１（ａ）は、本発明の一実施の形態に係るドラムの斜視図である。本実施の形態では、ドラムとしてスネアドラム１００を例示する。図１（ｂ）は、スネアドラム１００の上部の部分縦断面図である。
【００１６】
スネアドラム１００は、円筒部９１ｃを有するシェル９１を有し、シェル９１の円筒形状における一方の開口にバターヘッド１０１が配置されると共に、他方の開口にレゾナンスヘッド１０２が配置される。以降、スネアドラム１００につき上下方向に言及する場合は、バターヘッド１０１が上側に位置する姿勢を基準として上下方向を呼称する。バターヘッド１０１の表側（上側）の面である外面１０１ａが、打撃される打面となる。シェル９１の外周面に、複数のワンピースタイプのラグ９６が等間隔に固定される。シェル９１の開口のうちバターヘッド１０１、レゾナンスヘッド１０２が配置される側の開口には、それぞれ、円環状のフープ９２、９３が配置される。
【００１７】
フレッシュフープ９８（図１（ｂ））にバターヘッド１０１の外周縁部が連結されることでバターヘッド１０１は平面視円形を保つよう保持される。フレッシュフープ９８はフープ９２に係合しており、ラグ９６のチューニングボルトの締め付けを調整することで、バターヘッド１０１のテンションが調整可能である。レゾナンスヘッド１０２についても、バターヘッド１０１と上下対称に同様に保持される（図２（ｂ）参照）。
【００１８】
図２（ａ）は、スネアドラム１００の底面図であり、一部においてレゾナンスヘッド１０２やフープ９３を切り欠いて示している。図２（ｂ）は、スネアドラム１００の下部の部分縦断面図である。
【００１９】
図１（ａ）、図２（ａ）に示すように、レゾナンスヘッド１０２の表側（下側）には、通常、スネアワイヤ９７が配設される。スネアワイヤ９７はドラム用響線（スナッピー）である。シェル９１の外周面において、シェル９１の直径方向に沿った対称位置に、一対のスネアワイヤ取り付け部９４、９５が固定される。この取り付け部９４、９５は、固定側及び可動側ストレイナで構成され、ラグ９６を避けた位置に配置される。スネアワイヤ９７は、その両端が取り付け部９４、９５に取り付けられ、レゾナンスヘッド１０２の表側の面である外面１０２ａに対して選択的に離接可能に張設される。
【００２０】
シェル９１は金属部材で構成され、図１（ｂ）に示すように、円筒部９１ｃの上部が折り曲げ部９１ｂで内側に折れ曲がっている。この折れ曲がった部分の先端が、シェル９１の部材としての端部であり、円形の開口部９１ａを形成している。シェル９１の下部についても、上下対称に上部と同様に構成される（図２（ｂ）参照）。
【００２１】
本実施の形態のスネアドラム１００には、従来にない構成要素として、制振部が設けられる。制振部は、ヘッド打撃音の主として高周波成分を適度に抑制する制振機能を有するものであり、立ち上がりの音色をあまり犠牲にすることなく音色を向上させるために設けられる。制振部の配設例及び構成例につき、主に図１（ｂ）、図２（ａ）、（ｂ）を参照して説明する。
【００２２】
制振部として、バターヘッド１０１の外面１０１ａ、バターヘッド１０１の裏側の面である内面１０１ｂにそれぞれ対応する制振部１１、２１が設けられる。またレゾナンスヘッド１０２の外面１０２ａ、レゾナンスヘッド１０２の裏側の面である内面１０２ｂにそれぞれ対応するものとして制振部３１、４１が設けられる。制振部１１、２１、３１、４１は、それぞれ、第１の部材１０、第２の部材２０、第３の部材３０、第４の部材４０の一部として構成される。
【００２３】
まず、図１（ｂ）に示すように、第１の部材１０が上側のフープ９２の内周面に固定されている。第１の部材１０は、垂直な取り付け部１２が接着または螺着等によってフープ９２の内周面に取り付けられ、取り付け部１２の下部から水平な内周方向にツバ部が延設され、このツバ部が制振部１１となっている。制振部１１の下面である外面対向面１１ａは、バターヘッド１０１の周縁部の外面１０１ａに対して接触することなく略平行に近接対向する。制振部１１は、平面視で環状を呈する。
【００２４】
また、第２の部材２０は、シェル９１の円筒部９１ｃに固定される。第２の部材２０の垂直な取り付け部２３が、接着または螺着等によって円筒部９１ｃの内周面に取り付けられる。取り付け部２３の上部から斜め上方に傾斜部２２が延び、傾斜部２２の先端から内周方向に水平に延設された部分が折り返され、この折り返された部分が制振部２１となっている。制振部２１の上面である内面対向面２１ａは、開口部９１ａを介してバターヘッド１０１の周縁部の内面１０１ｂに対して接触することなく略平行に近接対向する。制振部２１は、平面視で環状を呈する。
【００２５】
第３の部材３０、第４の部材４０についても、第１の部材１０、第２の部材２０と上下対称に同様に配設される。すなわち、図２（ａ）、（ｂ）に示すように、第３の部材３０は、垂直な取り付け部３２が下側のフープ９３の内周面に取り付けられ、取り付け部３２の上部から内周方向に水平に延設されるツバ部が制振部３１となっている。制振部３１の上面である外面対向面３１ａは、レゾナンスヘッド１０２の周縁部の外面１０２ａに対して接触することなく略平行に近接対向する。第４の部材４０は、水平な折り返し部分が制振部４１となっていて、制振部４１の下面である内面対向面４１ａがレゾナンスヘッド１０２の周縁部の内面１０２ｂに対して接触することなく略平行に近接対向する。制振部３１、４１は、平面視で環状を呈する。スネアワイヤ９７は、レゾナンスヘッド１０２に接触させて制振部３１の上側に配設される。なお、スネアワイヤ９７の端部付近は、制振部３１の外側（下側）に配設してもよい。
【００２６】
制振部の好ましい形状について、代表して制振部１１を例にとって説明する。制振部２１は板状に構成したが、バターヘッド１０１の周縁部の外面１０１ａに対する対向面（外面対向面１１ａ）を有する構成とすればよい。従って、外面対向面１１ａは、バターヘッド１０１に対し、打撃時にも非打撃時にも接触しないような距離であってなるべく近接した位置に配置される。また、外面対向面１１ａとバターヘッド１０１の外面１０１ａとの間には、他の部材等を介在させず、空隙部が確保されるようにする。外面対向面１１ａとバターヘッド１０１の外面１０１ａとの適切な距離は、数ｍｍから数ｃｍ程度の範囲であり、高い制振効果を発揮する観点からは１５ｍｍ以内が好ましい。
【００２７】
バターヘッド１０１の半径方向における制振部１１の配設領域については、外面対向面１１ａは、バターヘッド１０１の周縁部に対応する領域に形成される。なお、バターヘッド１０１の最外周位置まで外面対向面１１ａが対向するようにしてもよい。環状形状の外面対向面１１ａの外縁部の位置は、バターヘッド１０１の最外周位置よりも半径方向内側に数ｍｍの位置を限界位置とし、この限界位置よりも半径方向外側の位置とするのが望ましい。外面対向面１１ａの外縁部の位置が、上記限界位置よりも内側位置であるとすると、高周波を抑制できないおそれがあるからである。一方、環状形状の外面対向面１１ａの内縁部の位置は、バターヘッド１０１の半径の１／２の距離の位置より外側の位置とするのが望ましい。内縁部の位置がバターヘッド１０１の半径の１／２の距離の位置よりも内側であるとすると、高周波だけでなく低周波にまで大きな影響を及ぼすおそれがあるからである。従って、バターヘッド１０１の半径方向における外面対向面１１ａの適切な配設領域（幅）は、バターヘッド１０１の半径の１／２よりも小さいのが好ましい。
【００２８】
他の制振部２１、３１、４１についても、対応するバターヘッド１０１の内面１０１ｂ、レゾナンスヘッド１０２の外面１０２ａ、内面１０２ｂに対する距離や半径方向における配設領域（幅も含む）の関係については、制振部１１と同様に考えることができる。
【００２９】
制振部の材質については、例えば金属が採用されるが、樹脂、木材、フェルト、段ボール、スポンジ等であってもよい。また、外面対向面１１ａのような対向面を有すればよく、上下方向の肉厚が厚くてもよいし、対向面以外の部分の形状も問わない。制振部の構成（材質や形状の選定、対応するヘッドとの距離や半径方向における配設領域の設計）において、ヘッドの制振機能を発揮できるようにするのが必須であり、ヘッドの振動と共振するような構成は除外される。
【００３０】
図３（ａ）〜（ｆ）は、ドラムの膜振動のモードを説明する模式図である。円形のドラムの膜振動としてバターヘッド１０１の振動を例にとって考察する。バターヘッド１０１の振動においては、振動における節が多数存在し、節に応じて腹の数も多数となり、多数の振動が重畳されたものがバターヘッド１０１の全体の振動となる。
【００３１】
振動の節線のとらえ方によって振動モードが異なる。振動の節線には、円周方向の節線７１と直径方向の節線７２とがある。円周方向の複数の節線７１は同心円である。例えば、図３（ａ）に示すように、バターヘッド１０１の外周縁に沿った節線７１に関する振動において腹７３は１つである。図３（ｂ）に示すように、バターヘッド１０１の外周縁に沿った節線７１と直径方向の１つの節線７２とに関する振動において腹７３は２つである。図３（ｃ）に示すように、外周縁に沿った節線７１と直径方向の６つの節線７２とに関する振動において腹７３は１２個である。図３（ｄ）に示すように、２つの節線７１に関する振動において腹７３は２個である。
【００３２】
ここで、（直径方向の節線７２の数ｎ、円周方向の節線７１の数ｍ）を振動モード（ｎ，ｍ）と記すと、図３（ａ）の例は最も低次の振動モード（０、１）となる。同様に、図３（ｂ）、（ｃ）、（ｄ）、（ｅ）、（ｆ）の例はそれぞれ、振動モード（１、１）、振動モード（６、１）、振動モード（０、２）、振動モード（１、２）、振動モード（２、３）となる。振動の腹７３の数が多いほど高次の振動モードとなり、高周波数の振動が発生する。打撃により低次から高次の振動モードによる振動が並行して発生する。レゾナンスヘッド１０２についても同様に考えることができる。
【００３３】
図４（ａ）、（ｂ）は、スネアドラム１００の振動の周波数ごとの時間的変化を示す図である。特に、図４（ａ）は、制振部を有しない従来の構成、図４（ｂ）は、制振部１１だけを設けた構成でのデータである。横軸に時間（ｍｓ）、縦軸に周波数（Ｈｚ）をとっている。
【００３４】
図４（ａ）、（ｂ）において、周波数領域ｆ１、ｆ２、ｆ３は周波数の比較的高い領域（例えば、４００Ｈｚ以上）である（ｆ１＜ｆ２＜ｆ３）。図４（ａ）と図４（ｂ）とを比較すると、周波数領域ｆ１、ｆ２、ｆ３のいずれにおいても、制振部１１を有しない構成よりも制振部１１を有する構成の方が、振動の減衰が早まっている。
【００３５】
図５（ａ）、（ｂ）、（ｃ）は、スネアドラム１００の打撃時の音量レベルの時間的変化を示す図である。特に図５（ａ）、（ｂ）はそれぞれ振動モード（０、１）、振動モード（６、１）による振動を抽出した場合の音量変化を示す。図５（ｃ）は、全ての振動モードが重畳された音量の変化を示す。図５（ａ）〜（ｃ）において、曲線Ｌ０は制振部１１を設けないスネアドラム１００、曲線Ｌ１は制振部１１を設けたスネアドラム１００の音量変化を示す。縦軸に音量レベル（ｄＢ）、横軸に時間（ｓ）をとっている。音量レベルはマイク等により検出される。図５（ａ）、（ｂ）では、該当する周波数以外の周波数成分を除去することで、各振動モードに対応する周波数成分だけを抽出している。
【００３６】
図５（ｃ）からわかるように、曲線Ｌ０よりも曲線Ｌ１は早く減衰しており、制振部１１を設けることで全体的な音量の減衰が早まる。また、振動モード別に見ると、振動モード（０、１）では曲線Ｌ０と曲線Ｌ１との明確な差異が見られず（図５（ａ））、振動モード（６、１）では曲線Ｌ０よりも曲線Ｌ１は早く減衰している。従って、低次の振動モードに対しては制振部１１による制振効果はあまりないが、高次の振動モードに対しては制振部１１による制振効果が発揮されていることがわかる。
【００３７】
代表して制振部１１の効果について述べると、バターヘッド１０１の振動時には、制振部１１の外面対向面１１ａとバターヘッド１０１との間に介在する空気がダンパとして働き、振動抑制効果が発揮される。上述のように、外面対向面１１ａはバターヘッド１０１の周縁部に対応する領域に配置される。一方、図３でも説明したように、直径方向の節線７２は無数に考えられるため、高次振動モードの腹７３はバターヘッド１０１の周縁部に数多く存在する。そのため、低次に比べて高次の振動モードにおいては特に振動が長く持続できずに高周波成分の振動が早く減衰し、効率よく制振される。
【００３８】
すなわち、制振部１１等の存在によって、バターヘッド１０１とレゾナンスヘッド１０２とが同期振動するいわゆる連成振動が抑制される。特に、耳障りの悪い倍音成分の減衰が早まり、音色が向上する。また、副次的な効果として、膜（ヘッド１０１、１０２）の不要な余韻がなくなることで、スネアワイヤ９７の音の減衰も早くなり、その結果、キレの良い音を得られる。その一方、バターヘッド１０１に対して外面対向面１１ａは非接触であることから、打撃音の立ち上がりにおいて振動が従来と同様に励起され、立ち上がりの音が鈍くなることはない。豊かな音色の元となる成分は犠牲となることなく、立ち上がりの豊かな倍音が確保される。
【００３９】
このように本実施の形態によれば、バターヘッド１０１、レゾナンスヘッド１０２に対向する制振部１１、２１、３１、４１を設けたので、打撃音の高周波成分を抑制し、音色を向上させることができる。
【００４０】
なお、制振部の取り付け位置として、フープ９２、９３の内周面やシェル９１の円筒部９１ｃの内周面を例示したが、バターヘッド１０１、レゾナンスヘッド１０２の面に触れない箇所であれば取り付け位置は問わず、円筒部９１ｃの内側または外側の部品に対して締結等により固定してもよい。例えば、制振部１１を有する第１の部材１０については、ラグ９６、あるいはラグ９６のチューニングボルトに対して取り付けてもよい。あるいは、制振部は、円筒部９１ｃ、または円筒部９１ｃの内側または外側の部品と一体に形成されてもよい。
【００４１】
図６〜図８で、制振部の変形例について説明する。図６（ａ）〜（ｄ）は、制振部の変形例を示す模式的平面図である。
【００４２】
制振部３１については、図６（ａ）に示すように、レゾナンスヘッド１０２の円周方向における一対のスネアワイヤ取り付け部９４、９５の配置位置を避けた領域に分割して配設してもよい。これにより、制振部３１は、スネアワイヤ９７を避けた位置でレゾナンスヘッド１０２に対向することになり、スネアワイヤ９７の振動に影響を与えにくくなる。従って、レゾナンスヘッド１０２の振動を抑制しつつスネアワイヤ９７の音を確保することができる。なお、スネアワイヤ取り付け部９４、９５は一対の構成を例示したが、単一構成であってもよい。なお、制振部４１についても制振部３１と同様に考えることができる。
【００４３】
各制振部の形状について、平面視において連続的な環状に構成する必要はなく、図６（ｂ）〜（ｄ）に例示されるように、断続的な略環状であってもよい。制振部１１を例にとると、断続的な環状とする場合、円周方向における少なくとも１／１０以上の範囲に制振部１１が存在するように設ける。また、同じ面に対向する制振部１１は単一でなくてもよく、複数に分割されていてもよい（図６（ａ）、（ｃ）、（ｄ））。さらに、半径方向における制振部１１の配設領域（幅）は一様でなくてもよく、円周方向において幅が変化する形状であってもよい（図６（ｄ））。従って、各々の制振部１１の平面視形状は問わず、扇形や矩形でもよい。制振部を、ヘッドの周縁部に対応して平面視において連続的または断続的な略環状に形成することで、高周波成分が効率よく抑制される。
【００４４】
図７（ａ）、（ｂ）は、変形例の制振部を採用したスネアドラム１００の上部の部分縦断面図である。
【００４５】
上述したように、制振部は板状でなくてもよく、上下方向に厚肉であってもよい。例えば、図７（ａ）に例示するように、第２の部材２０に相当する部材である環状の部材９９をシェル９１の円筒部９１ｃの内周面に固定する。部材９９の上面が、制振部２１に相当する制振部Ｓとなり、制振部Ｓのうちバターヘッド１０１の周縁部の内面１０１ｂに対向する部分が、内面対向面２１ａに相当する内面対向面Ｓａとなる。
【００４６】
あるいは、図７（ｂ）に例示するように、制振部２１に相当する部分を円筒部９１ｃと一体に形成してもよい。すなわち、円筒部９１ｃの半径方向の肉厚を厚くし、厚肉部９１ｅを円筒部９１ｃと一体に形成する。円筒部９１ｃの上面が、制振部２１に相当する制振部Ｓとなり、制振部Ｓのうちバターヘッド１０１の周縁部の内面１０１ｂに対向する部分が、内面対向面２１ａに相当する内面対向面Ｓａとなる。なお、厚肉部９１ｅをレゾナンスヘッド１０２付近まで連続して形成し、厚肉部９１ｅの下面が制振部４１及び内面対向面４１ａに相当する機能を果たすように構成してもよい。
【００４７】
図８（ａ）は、変形例の制振部を採用したスネアドラム１００の上部の部分縦断面図である。図８（ｂ）は、図８（ａ）の構成例のスネアドラム１００におけるシェル９１の斜視図である。
【００４８】
図８（ａ）に示すように、制振部２１に相当する制振部Ｓがシェル９１と一体に形成される。すなわち、円筒部９１ｃの上側の開口側の端部が折り曲げ部９１ｂで内側に折れ曲がり、斜め下方に延びる傾斜部９１ｄの先端から水平に延びる延設部が、制振部２１に相当する制振部Ｓとなっている。制振部Ｓのうちバターヘッド１０１の周縁部の内面１０１ｂに対向する部分が、内面対向面２１ａに相当する内面対向面Ｓａとなる。円筒部９１ｃの下部についても上部と上下対称に同様に形成され、制振部４１に相当する制振部Ｓが構成される（図８（ｂ））。この場合のシェル９１は、例えば金属で構成し、上下の端部を折り曲げ加工することで容易に製造可能である。図８（ａ）、（ｂ）の例によると、部品点数を削減すると共に制振部の形成を容易にし、製造コストを抑えることができる。なお、シェル９１に採用する材料は、折り曲げた形状を形成できれば、金属に限られない。例えば、木材や樹脂の板を折り曲げたり削り出したりすることで折り曲げ形状を実現してもよい。
【００４９】
なお、これまで説明した構成では、打撃音の高周波成分の抑制効果を高めるために、バターヘッド１０１の表と裏、レゾナンスヘッド１０２の表と裏の４箇所に制振部を設けた。しかし、これら４箇所のうち少なくとも１箇所に制振部を設ける構成であってもよい。バターヘッド１０１に対応する制振部を設けるのが効果は高いが、レゾナンスヘッド１０２に対応する制振部のみを設ける構成であってもよい。
【００５０】
なお、本発明はスネアドラムに限られず、例えばタムタム、バスドラム、ティンパニ等、各種ドラムに適用可能である。レゾナンスヘッドを有さないドラムにおいては、バターヘッドに対応する制振部を設ければよい。なお、バターヘッドの裏側（内面）が打面となるようなドラムにも本発明を適用可能である。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の変形例の一部を適宜組み合わせてもよい。
【符号の説明】
【００５２】
１０  第１の部材、  ２０  第２の部材、  ３０  第３の部材、  ４０  第４の部材、  １１、２１、３１、４１、Ｓ  制振部、  １１ａ、３１ａ  外面対向面、  ２１ａ、４１ａ、Ｓａ  内面対向面、  ９１  シェル、  ９１ｂ  折り曲げ部、  ９１ｃ  円筒部、  ９４、９５  スネアワイヤ取り付け部、  ９７  スネアワイヤ、  １０１  バターヘッド、  １０１ａ、１０２ａ  外面、  １０１ｂ、１０２ｂ  内面、  １０２  レゾナンスヘッド
【図１】
0006390293.tif 000002
【図２】
0006390293.tif 000003
【図３】
0006390293.tif 000004
【図４】
0006390293.tif 000005
【図５】
0006390293.tif 000006
【図６】
0006390293.tif 000007
【図７】
0006390293.tif 000008
【図８】
0006390293.tif 000009